(57)【要約】【課題】  フォトディテクタの三次元調整や回転調整を長期にわたって維持して読取誤差が生じないようにすること。【解決手段】  中央部１２ａと該中央部１２ａから両側に延びる両端部１２ｂ，１２ｃとにより略コ字状に形成したフォトディテクタ用導線１２の一端部１２ｂがスライドベースのメイン基板に接続されると共に、該フォトディテクタ用導線１２の他端部１２ｃが中央部１２ａとの境界線Ｋを中心に曲げられてフォトディテクタの支持基板に接続され、フォトディテクタ用導線１２の中央部１２ａから境界線Ｋを越えて他端部１２ｃまで該導線１２の長手方向に沿って所定幅ｔの長孔２１を形成することにより、そのフォトディテクタ用導線１２の中央部１２ａが外側線１２Ａと内側線１２Ｂとに２分割され、その内側線１２Ｂの幅ｈ２が外側線１２Ａの幅ｈ１よりも小さく設定されている。【選択図】        図１
2008257822.tif 000002
【特許請求の範囲】
【請求項１】
ディスクの半径方向に沿って往復移動可能なスライドベースの表裏両面のうち、その一
方面にプリント配線基板からなるメイン基板が止着されると共に、その他方面に起立枠が
一体形成され、プリント配線基板からなる支持基板に光学素子を取り付けたフォトディテ
クタが前記起立枠に対向して位置決めされ、その起立枠と支持基板との間に接着剤を注入
することによりフォトディテクタが起立枠に固定され、中央部と該中央部から両側に延び
る両端部とにより略コ字状に形成したフレキシブルフラットケーブルからなるフォトディ
テクタ用導線の一端部が前記メイン基板に接続されると共に、該フォトディテクタ用導線
の他端部が中央部との境界線を中心に曲げられて前記支持基板に接続されており、前記起
立枠に設けたレーザダイオードからディスクにレーザ光を投射し、その反射光を前記フォ
トディテクタの光学素子で受光してディスクに記録されている情報を読み取るようにした
光ピックアップにおいて、前記フォトディテクタ用導線の中央部から前記境界線を越えて
他端部まで該導線の長手方向に沿って所定幅の長孔を形成することにより、そのフォトデ
ィテクタ用導線の中央部が外側線と内側線とに２分割され、その内側線の幅が外側線の幅
よりも小さく設定されていることを特徴とする光ピックアップ。
【請求項２】
前記外側線の幅と内側線の幅との比率が３対１〜７対５（好ましくは２．５対１〜１．
５対１）に設定されていることを特徴とする請求項１に記載の光ピックアップ。
【請求項３】
前記長孔の幅が１〜３（好ましくは１．５〜２．５）ｍｍに設定されていることを特徴
とする請求項２に記載の光ピックアップ。
【請求項４】
ディスクの半径方向に沿って往復移動可能なスライドベースの表裏両面のうち、その一
方面にプリント配線基板からなるメイン基板が止着されると共に、その他方面に起立枠が
一体形成され、プリント配線基板からなる支持基板に光学素子を取り付けたフォトディテ
クタが前記起立枠に対向して位置決めされ、その起立枠と支持基板との間に接着剤を注入
することによりフォトディテクタが起立枠に固定され、中央部と該中央部から両側に延び
る両端部とにより略コ字状に形成したフレキシブルフラットケーブルからなるフォトディ
テクタ用導線の一端部が前記メイン基板に接続されると共に、該フォトディテクタ用導線
の他端部が中央部との境界線を中心に曲げられて前記支持基板に接続されており、前記起
立枠に設けたレーザダイオードからディスクにレーザ光を投射し、その反射光を前記フォ
トディテクタの光学素子で受光してディスクに記録されている情報を読み取るようにした
光ピックアップにおいて、前記フォトディテクタ用導線の中央部から前記境界線を越えて
他端部まで該導線の長手方向に沿って所定幅の長孔を形成することにより、そのフォトデ
ィテクタ用導線の中央部が外側線と内側線とに２分割され、前記外側線の幅と内側線の幅
との比率が３対１〜７対５（好ましくは２．５対１〜１．５対１）に設定され、前記長孔
の幅が１〜３（好ましくは１．５〜２．５）ｍｍに設定されていることを特徴とする光ピ
ックアップ。
【発明の詳細な説明】
【技術分野】
【０００１】
本発明は、ディスク装置（例えばＤＶＤレコーダやＤＶＤプレーヤなど）に使用される
光ピックアップに関し、特に、フォトディテクタの三次元調整や回転調整を長期にわたっ
て維持して読取誤差が生じないようにするものである。
【背景技術】
【０００２】
光ピックアップの概略を図４に基づいて説明すると、これは、ディスクＤの半径方向に
沿う左右一対のガイドレール１にスライドベース２が往復移動可能に係合され、該スライ
ドベース２の表裏両面のうち、その一方面にプリント配線基板からなるメイン基板３が止
着されると共に、その他方面に起立枠２Ａが一体形成され、該起立枠２Ａにフォトディテ
クタＰＤ１と光量検知器ＰＤ２とレーザダイオードＬＤとがそれぞれ位置調整して固定さ
れ、起立枠２Ａ内に立ち上げミラーＭとハーフミラーＨＭとが配置され、スライドベース
２の一方面に対物レンズＯＬを備えたアクチュ−エ−タ４が設けられている。
【０００３】
情報読取手順を説明すると、ディスクＤを高速回転させ、アクチュ−エ−タ４を駆動し
て、該アクチュ−エ−タ４に設けた支軸４ａに沿って対物レンズＯＬをフォーカス方向に
移動させると共に、支軸４ａ回りで対物レンズＯＬをトラッキング方向に移動させ、レー
ザダイオードＬＤからレーザ光ａをハーフミラーＨＭ及び立ち上げミラーＭで反射して対
物レンズＯＬを通してディスクＤに投射させ、その反射光ｂを対物レンズＯＬに通し立ち
上げミラーＭで反射しハーフミラーＨＭを通過してフォトディテクタＰＤ１で受光させ、
ディスクＤに記録されている情報を読み取ると共に、レーザ光ａの光量を光量検知器ＰＤ
２で検知する。
【０００４】
図５〜図８は従来の光ピックアップの一例を示すものであって、図５は同斜視図、図６
は同要部の平面図、図７は同要部の正面図、図８（ａ）は同フォトディテクタ用導線の展
開図、図８（ｂ）はＤ−Ｄ矢視図である。
【０００５】
図５に示すように、前記レーザダイオードＬＤは、金属ブロック製ホルダ６の中央部に
貫設した貫通孔に嵌入固定され、該レーザダイオードＬＤの端子軸７に半田付けしたフレ
キシブルフラットケーブルからなるレーザダイオード用導線８の端部がメイン基板３に半
田付けされている。
【０００６】
図５〜図７に示すように、前記フォトディテクタＰＤ１は、プリント配線基板からなる
支持基板１０にフォトダイオードからなる光学素子１１を取り付けたものであって、フレ
キシブルフラットケーブルからなるフォトディテクタ用導線１２を介してメイン基板３に
接続されている。光量検知器ＰＤ２もフォトディテクタＰＤ１と同一の構造であって、フ
レキシブルフラットケーブルからなる光量検知用導線１３を介してメイン基板３に接続さ
れている。
【０００７】
前記フォトディテクタＰＤ１の固定手順を説明すると、起立枠２Ａに対してフォトディ
テクタＰＤ１を前後方向Ｘ、左右方向Ｙ及び上下方向Ｚに沿って三次元調整すると共に、
回転調整Ｔした後、起立枠２Ａと支持基板１０との間に例えば紫外線硬化性接着剤などの
接着剤１４を注入することにより、フォトディテクタＰＤ１を起立枠２Ａに固定する。
【０００８】
図８に示すように、前記フォトディテクタ用導線１２は、中央部１２ａと、該中央部１
２ａから一方向に所定の傾斜角度（この例では４５°）で延びる一端部１２ｂと、その中
央部１２ａから他方向に所定の傾斜角度（この例では９０°）で延びる他端部１２ｃとに
より、略コ字状に形成されており、その各端部１２ｂ，１２ｃの内側縁及び外側縁に複数
（この例では７つずつ）のランド１６が形成される共に、その両端部１２ｂ，１２ｃのラ
ンド１６どうしが中央部１２ａを通る複数（この例では１４本）の接続線１７により接続
されている。
【０００９】
フォトディテクタ用導線１２の接続手順を説明すると、図６及び図７に示すように、一
端部１２ｂの各ランド１６をメイン基板３のランドに半田付け１８し、他端部１２ｃを中
央部１２ａとの境界線Ｋを中心に曲げて引き起し、その他端部１２ｃの各ランド１６を支
持基板１０のランドに半田付け１８する。なお、関連する技術として特許文献１に記載し
たものがある。
【特許文献１】特開２０００−３３１３７２号公報
【発明の開示】
【発明が解決しようとする課題】
【００１０】
上記従来の構成では、フォトディテクタ用導線１２が広幅のフレキシブルフラットケー
ブルで形成されているため、その他端部１２ｃが境界線Ｋを中心に曲げて引き起こされる
ことにより、その境界線Ｋを中心にして、該フォトディテクタ用導線１２の外側縁に沿っ
て大きな引張力Ｐを発生させると共に、そのフォトディテクタ用導線１２の内側縁に沿っ
て大きな圧縮力Ｆを発生させ、その大きな引張力Ｐ及び圧縮力Ｆがフォトディテクタを支
持する接着剤１４に作用し、その接着剤１４が硬化時や倉庫などの高温雰囲気にさらされ
たときに変形され、その結果、フォトディテクタＰＤ１の三次元調整ＸＹＺや回転調整Ｔ
が狂って読取誤差を生じさせるおそれがある。
【００１１】
そこで、図９（ａ）のフォトディテクタ用導線の展開図、図９（ｂ）のＥ−Ｅ矢視図に
示すように、フォトディテクタ用導線１２の中央部１２ａから境界線Ｋを越えて他端部１
２ｃまで該導線１２の長手方向に沿ってスリット２０を形成することにより、そのフォト
ディテクタ用導線１２の中央部１２ａを外側線１２Ａと内側線１２Ｂとに２等分し、その
内外両線１２Ａ，１２Ｂに引張力Ｐ及び圧縮力Ｆを分散させることが考えられるが、これ
でも、外側線１２Ａの幅ｈ１と内側線１２Ｂの幅ｈ２との比率が１対１で、内側線１２Ｂ
の幅ｈ２が大きく、しかも、内側線１２Ｂが急角度で曲げられているため、その内側線１
２Ｂに作用する引張力Ｐ及び圧縮力Ｆがかなり大きくてフォトディテクタＰＤ１を支持す
る接着剤１４に作用するため、上述した従来例の欠点を解消するに至っていない。
【００１２】
本発明は、上記従来の欠点に鑑み、フォトディテクタの三次元調整や回転調整を長期に
わたって維持して読取誤差が生じないようにした光ピックアップを提供することを目的と
している。
【課題を解決するための手段】
【００１３】
上記目的を達成するため、請求項１に記載の発明は、ディスクの半径方向に沿って往復
移動可能なスライドベースの表裏両面のうち、その一方面にプリント配線基板からなるメ
イン基板が止着されると共に、その他方面に起立枠が一体形成され、プリント配線基板か
らなる支持基板に光学素子を取り付けたフォトディテクタが前記起立枠に対向して位置決
めされ、その起立枠と支持基板との間に接着剤を注入することによりフォトディテクタが
起立枠に固定され、中央部と該中央部から両側に延びる両端部とにより略コ字状に形成し
たフレキシブルフラットケーブルからなるフォトディテクタ用導線の一端部が前記メイン
基板に接続されると共に、該フォトディテクタ用導線の他端部が中央部との境界線を中心
に曲げられて前記支持基板に接続されており、前記起立枠に設けたレーザダイオードから
ディスクにレーザ光を投射し、その反射光を前記フォトディテクタの光学素子で受光して
ディスクに記録されている情報を読み取るようにした光ピックアップにおいて、前記フォ
トディテクタ用導線の中央部から前記境界線を越えて他端部まで該導線の長手方向に沿っ
て所定幅の長孔を形成することにより、そのフォトディテクタ用導線の中央部が外側線と
内側線とに２分割され、その内側線の幅が外側線の幅よりも小さく設定されていることを
特徴としている。
【００１４】
請求項２に記載の発明は、請求項１に記載の発明において、前記外側線の幅と内側線の
幅との比率が３対１〜７対５（好ましくは２．５対１〜１．５対１）に設定されているこ
とを特徴としている。
【００１５】
請求項３に記載の発明は、請求項２に記載の発明において、前記長孔の幅が１〜３（好
ましくは１．５〜２．５）ｍｍに設定されていることを特徴としている。
【００１６】
請求項４に記載の発明は、ディスクの半径方向に沿って往復移動可能なスライドベース
の表裏両面のうち、その一方面にプリント配線基板からなるメイン基板が止着されると共
に、その他方面に起立枠が一体形成され、プリント配線基板からなる支持基板に光学素子
を取り付けたフォトディテクタが前記起立枠に対向して位置決めされ、その起立枠と支持
基板との間に接着剤を注入することによりフォトディテクタが起立枠に固定され、中央部
と該中央部から両側に延びる両端部とにより略コ字状に形成したフレキシブルフラットケ
ーブルからなるフォトディテクタ用導線の一端部が前記メイン基板に接続されると共に、
該フォトディテクタ用導線の他端部が中央部との境界線を中心に曲げられて前記支持基板
に接続されており、前記起立枠に設けたレーザダイオードからディスクにレーザ光を投射
し、その反射光を前記フォトディテクタの光学素子で受光してディスクに記録されている
情報を読み取るようにした光ピックアップにおいて、前記フォトディテクタ用導線の中央
部から前記境界線を越えて他端部まで該導線の長手方向に沿って所定幅の長孔を形成する
ことにより、そのフォトディテクタ用導線の中央部が外側線と内側線とに２分割され、前
記外側線の幅と内側線の幅との比率が３対１〜７対５（好ましくは２．５対１〜１．５対
１）に設定され、前記長孔の幅が１〜３（好ましくは１．５〜２．５）ｍｍに設定されて
いることを特徴としている。
【発明の効果】
【００１７】
請求項１に記載の発明によれば、フォトディテクタ用導線の中央部を外側線と内側線と
に２分割することにより、該フォトディテクタ用導線にかかる引張力及び圧縮力をその内
外両線に分散させるだけでなく、内側線の幅を外側線の幅よりも小さく設定しており、そ
の幅を小さくした分だけ内側線を容易に曲げることができてそれにかかる引張力及び圧縮
力が小さくなるため、その内側線にかかる引張力及び圧縮力がフォトディテクタを支持す
る接着剤にほとんど作用せず、その接着剤が硬化時や倉庫などの高温雰囲気にさらされた
ときでも変形されない。従って、フォトディテクタの三次元調整や回転調整を長期にわた
って維持して読取誤差が生じないようにすることができる。
【００１８】
請求項２において、外側線の幅と内側線の幅との比率が３対１未満の場合には、内側線
の幅が小さいため、その内側線にかかる引張力及び圧縮力がフォトディテクタを支持する
接着剤にほとんど作用しないが、内側線の幅を小さくした分だけ外側線の幅が大きくなっ
ているため、従来の長孔を形成していないフォトディテクタ用導線の形状に近似し、これ
では、外側線にかかる引張力及び圧縮力がかなり大きくなってフォトディテクタを支持す
る接着剤に作用し、その接着剤が硬化時や倉庫などの高温雰囲気にさらされたときに変形
され、その結果、フォトディテクタの三次元調整や回転調整が狂って読取誤差を生じさせ
るおそれがある。
【００１９】
外側線の幅と内側線の幅との比率が７対５を超える場合には、内側線の幅が外側線の幅
とあまり変わらない大きさになるため、従来の内側線の幅と外側線の幅とを１対１にした
フォトディテクタ用導線の形状に近似し、これでは、内側線にかかる引張力及び圧縮力が
かなり大きくなってフォトディテクタを支持する接着剤に作用し、その接着剤が硬化時や
倉庫などの高温雰囲気にさらされたときに変形され、上記と同様の欠点が生じる。
【００２０】
そこで、本発明では、外側線の幅と内側線の幅との比率が３対１〜７対５（好ましくは
２．５対１〜１．５対１）に設定されており、フォトディテクタ用導線の中央部を外側線
と内側線とに２分割することにより、該フォトディテクタ用導線にかかる引張力及び圧縮
力をその内外両線に分散させるだけでなく、内側線の幅を外側線の幅よりも適度に小さく
しているから、その幅を小さくした分だけ内側線を容易に曲げることができてそれにかか
る引張力及び圧縮力が小さくなり、その内側線にかかる引張力及び圧縮力がフォトディテ
クタを支持する接着剤にほとんど作用せず、その接着剤が硬化時や倉庫などの高温雰囲気
にさらされたときでも変形されない。従って、フォトディテクタの三次元調整や回転調整
を長期にわたって維持して読取誤差が生じないようにすることができる。
【００２１】
請求項３に記載の発明において、長孔の幅が１ｍｍ未満の場合には、その長孔の幅が小
さくなり過ぎるため、フォトディテクタ用導線の他端部を境界線を中心に曲げたときに、
内外両線が互いに接触して余分な負荷が接着剤にかかるおそれがある。
【００２２】
長孔の幅が３ｍｍを超える場合には、その長孔の幅が大きくなり過ぎるため、その大き
くなった分だけ内外両線の幅が小さくなって、その内外両線に対して複数の接続線を所定
間隔をおいて適正に配線し難い状態になる。
【００２３】
この発明によれば、長孔の幅が１〜３（好ましくは１．５〜２．５）ｍｍに設定されて
おり、その長孔の幅を適度な大きさにしているので、フォトディテクタ用導線の他端部を
境界線を中心に曲げたときに、内外両線が互いに接触しないようにすることができると共
に、内外両線の幅をできるだけ大きくして、その内外両線に複数の接続線を所定間隔をお
いて適正に配線することができる。
【００２４】
請求項４に記載の発明において、外側線の幅と内側線の幅との比率が３対１未満の場合
には、内側線の幅が小さいため、その内側線にかかる引張力及び圧縮力がフォトディテク
タを支持する接着剤にほとんど作用しないが、内側線の幅を小さくした分だけ外側線の幅
が大きくなっているため、従来の長孔を形成していないフォトディテクタ用導線の形状に
近似し、これでは、外側線にかかる引張力及び圧縮力がかなり大きくなってフォトディテ
クタを支持する接着剤に作用し、その接着剤が硬化時や倉庫などの高温雰囲気にさらされ
たときに変形され、その結果、フォトディテクタの三次元調整や回転調整が狂って読取誤
差を生じさせるおそれがある。
【００２５】
外側線の幅と内側線の幅との比率が７対５を超える場合には、内側線の幅が外側線の幅
とあまり変わらない大きさになるため、従来の内側線の幅と外側線の幅とを１対１にした
フォトディテクタ用導線の形状に近似し、これでは、内側線にかかる引張力及び圧縮力が
かなり大きくなってフォトディテクタを支持する接着剤に作用し、その接着剤が硬化時や
倉庫などの高温雰囲気にさらされたときに変形され、上記と同様の欠点が生じる。
【００２６】
そこで、本発明では、外側線の幅と内側線の幅との比率が３対１〜７対５（好ましくは
２．５対１〜１．５対１）に設定されており、フォトディテクタ用導線の中央部を外側線
と内側線とに２分割することにより、該フォトディテクタ用導線にかかる引張力及び圧縮
力をその内外両線に分散させるだけでなく、内側線の幅を外側線の幅よりも適度に小さく
しているから、その幅を小さくした分だけ内側線を容易に曲げることができてそれにかか
る引張力及び圧縮力が小さくなり、その内側線にかかる引張力及び圧縮力がフォトディテ
クタを支持する接着剤にほとんど作用せず、その接着剤が硬化時や倉庫などの高温雰囲気
にさらされたときでも変形されない。従って、フォトディテクタの三次元調整や回転調整
を長期にわたって維持して読取誤差が生じないようにすることができる。
【００２７】
また、長孔の幅が１ｍｍ未満の場合には、その長孔の幅が小さくなり過ぎるため、フォ
トディテクタ用導線の他端部を境界線を中心に曲げたときに、内外両線が互いに接触して
余分な負荷が接着剤にかかるおそれがある。
【００２８】
長孔の幅が３ｍｍを超える場合には、その長孔の幅が大きくなり過ぎるため、その大き
くなった分だけ内外両線の幅が小さくなって、その内外両線に対して複数の接続線を所定
間隔をおいて適正に配線し難い状態になる。
【００２９】
この発明によれば、長孔の幅が１〜３（好ましくは１．５〜２．５）ｍｍに設定されて
おり、その長孔の幅を適度な大きさにしているので、フォトディテクタ用導線の他端部を
境界線を中心に曲げたときに、内外両線が互いに接触しないようにすることができると共
に、内外両線の幅をできるだけ大きくして、その内外両線に複数の接続線を所定間隔をお
いて適正に配線することができる。
【発明を実施するための最良の形態】
【００３０】
図１は本発明の第１の実施の形態である光ピックアップの要部を示すものであって、図
１（ａ）はフォトディテクタ用導線の展開図、図１（ｂ）はＡ−Ａ矢視図である。
【００３１】
図１に示すように、フォトディテクタ用導線１２の中央部１２ａから境界線Ｋを越えて
他端部１２ｃまで該導線１２の長手方向に沿って所定幅ｔの長孔２１を形成することによ
り、そのフォトディテクタ用導線１２の中央部１２ａが外側線１２Ａと内側線１２Ｂとに
２分割され、その外側線１２Ａの幅ｈ１と内側線１２Ｂの幅ｈ２との比率が３対１に設定
されている。上記以外の構成は図４〜図７に示す構成とほぼ同じであるから、同一部分に
同一符号を付してその説明を省略する。
【００３２】
具体的寸法の一例を説明すると、中央部１２ａの幅Ｈが１４ｍｍ、長孔２１の幅ｔが２
ｍｍ、外側線１２Ａの幅ｈ１が９ｍｍ、内側線１２Ｂの幅ｈ２が３ｍｍである。
【００３３】
図２は本発明の第２の実施の形態である光ピックアップの要部を示すものであって、図
２（ａ）はフォトディテクタ用導線の展開図、図２（ｂ）はＢ−Ｂ矢視図である。
【００３４】
図２に示すように、外側線１２Ａの幅ｈ１と内側線１２Ｂの幅ｈ２との比率が２対１に
設定されている。上記以外の構成は図１に示す構成とほぼ同じであるから、同一部分に同
一符号を付してその説明を省略する。
【００３５】
具体的寸法の一例を説明すると、中央部１２ａの幅Ｈが１４ｍｍ、長孔２１の幅ｔが２
ｍｍ、外側線１２Ａの幅ｈ１が８ｍｍ、内側線１２Ｂの幅ｈ２が４ｍｍである。
【００３６】
図３は本発明の第３の実施の形態である光ピックアップの要部を示すものであって、図
３（ａ）はフォトディテクタ用導線の展開図、図３（ｂ）はＣ−Ｃ矢視図である。
【００３７】
図３に示すように、外側線１２Ａの幅ｈ１と内側線１２Ｂの幅ｈ２との比率が７対５に
設定されている。上記以外の構成は図１に示す構成とほぼ同じであるから、同一部分に同
一符号を付してその説明を省略する。
【００３８】
具体的寸法の一例を説明すると、中央部１２ａの幅Ｈが１４ｍｍ、長孔２１の幅ｔが２
ｍｍ、外側線１２Ａの幅ｈ１が７ｍｍ、内側線１２Ｂの幅ｈ２が５ｍｍである。
【００３９】
上記構成において、図１は外側線１２Ａの幅ｈ１と内側線１２Ｂの幅ｈ２との比率が３
対１（具体例では９ｍｍ対３ｍｍ）の場合を示しており、その比率が３対１未満の場合、
即ち、図１に示す状態から内側線１２Ｂの幅ｈ２が小さくなると、その内側線１２Ｂにか
かる引張力Ｐ及び圧縮力ＦがフォトディテクタＰＤ１を支持する接着剤１４にほとんど作
用しないが、内側線１２Ｂの幅ｈ２を小さくした分だけ外側線１２Ａの幅ｈ１が大きくな
っているため、図８に示す従来の形状に近似し、これでは、外側線１２Ａにかかる引張力
Ｐ及び圧縮力Ｆがかなり大きくなってフォトディテクタＰＤ１を支持する接着剤１４に作
用し、その接着剤１４が硬化時や倉庫などの高温雰囲気にさらされたときに変形され、そ
の結果、フォトディテクタＰＤ１の三次元調整ＸＹＺや回転調整Ｔが狂って読取誤差を生
じさせるおそれがある。
【００４０】
図３は外側線１２Ａの幅ｈ１と内側線１２Ｂの幅ｈ２との比率が７対５（具体例では７
ｍｍ対５ｍｍ）の場合を示しており、その比率が７対５を超える場合、即ち、図３に示す
状態から、内側線１２Ｂの幅ｈ２が大きくなると、その内側線１２Ｂの幅ｈ２が外側線１
２Ａの幅ｈ１とあまり変わらない大きさになるため、図９に示す従来の形状に近似し、こ
れでは、内側線１２Ｂにかかる引張力Ｐ及び圧縮力Ｆがかなり大きくなってフォトディテ
クタＰＤ１を支持する接着剤１４に作用し、その接着剤１４が硬化時や倉庫などの高温雰
囲気にさらされたときに変形され、上記と同様の欠点が生じる。
【００４１】
図２は外側線１２Ａの幅ｈ１と内側線１２Ｂの幅ｈ２との比率が２対１（具体例では８
ｍｍ対４ｍｍ）の場合であって、本発明の最も好適な例を示している。その比率が２．５
対１（具体例では８．６ｍｍ対３．４ｍｍ）〜１．５対１（具体例では７．２ｍｍ対４．
８ｍｍ）の場合でも好ましい。
【００４２】
本発明によれば、外側線１２Ａの幅ｈ１と内側線１２Ｂの幅ｈ２との比率が３対１（図
１参照）〜７対５（図３参照）〔好ましくは２．５対１〜１．５対１（図２参照）〕に設
定されており、フォトディテクタ用導線１２の中央部１２ａを外側線１２Ａと内側線１２
Ｂとに２分割することにより、該フォトディテクタ用導線１２にかかる引張力Ｐ及び圧縮
力Ｆをその内外両線１２Ａ，１２Ｂに分散させるだけでなく、内側線１２Ｂの幅ｈ２を外
側線１２Ａの幅ｈ１よりも適度に小さくしているから、その幅ｈ２を小さくした分だけ内
側線１２Ｂを容易に曲げることができてそれにかかる引張力Ｐ及び圧縮力Ｆが小さくなり
、その内側線１２Ｂにかかる引張力Ｐ及び圧縮力ＦがフォトディテクタＰＤ１を支持する
接着剤１４にほとんど作用せず、その接着剤１４が硬化時や倉庫などの高温雰囲気にさら
されたときでも変形されない。従って、フォトディテクタＰＤ１の三次元調整ＸＹＺや回
転調整Ｔを長期にわたって維持して読取誤差が生じないようにすることができる。
【００４３】
図１〜図３では、長孔２１の幅ｔを２ｍｍに設定した場合を示しているが、該長孔２１
の幅ｔが１ｍｍ未満の場合には、その長孔２１の幅ｔが小さくなり過ぎるため、フォトデ
ィテクタ用導線１２の他端部１２ｃを境界線Ｋを中心に曲げたときに、内外両線１２Ａ，
１２Ｂが互いに接触して余分な負荷が接着剤１４にかかるおそれがある。
【００４４】
前記長孔２１の幅ｔが３ｍｍを超える場合には、その長孔２１の幅ｔが大きくなり過ぎ
るため、その大きくなった分だけ内外両線１２Ａ，１２Ｂの幅ｈ１＋ｈ２が小さくなって
、その内外両線１２Ａ，１２Ｂに対して複数の接続線１７を所定間隔をおいて適正に配線
し難い状態になる。
【００４５】
本発明によれば、長孔２１の幅ｔが１〜３（好ましくは１．５〜２．５）ｍｍに設定さ
れており、その長孔２１の幅ｔを適度な大きさにしているので、フォトディテクタ用導線
１２の他端部１２ｃを境界線Ｋを中心に曲げたときに、内外両線１２Ａ，１２Ｂが互いに
接触しないようにすることができると共に、内外両線１２Ａ，１２Ｂの幅ｈ１＋ｈ２をで
きるだけ大きくして、その内外両線１２Ａ，１２Ｂに複数の接続線１７を所定間隔をおい
て適正に配線することができる。
【図面の簡単な説明】
【００４６】
【図１】（ａ）本発明の第１の実施の形態である光ピックアップにおけるフォトディテクタ用導線の展開図、（ｂ）はＡ−Ａ矢視図である。
【図２】（ａ）本発明の第２の実施の形態である光ピックアップにおけるフォトディテクタ用導線の展開図、（ｂ）はＢ−Ｂ矢視図である。
【図３】（ａ）本発明の第３の実施の形態である光ピックアップにおけるフォトディテクタ用導線の展開図、（ｂ）はＣ−Ｃ矢視図である。
【図４】光ピックアップの概略を示す概略平面図である。
【図５】従来の一例を示す斜視図である。
【図６】同要部の平面図である。
【図７】同要部の正面図である。
【図８】（ａ）は同フォトディテクタ用導線の展開図、（ｂ）はＤ−Ｄ矢視図である。
【図９】（ａ）は従来の他の例のフォトディテクタ用導線の展開図、（ｂ）はＥ−Ｅ矢視図である。
【符号の説明】
【００４７】
２        スライドベース
２Ａ      起立枠
３        メイン基板
１０      支持基板
１１      光学素子
１２      フォトディテクタ用導線
１２ａ    フォトディテクタ用導線の中央部
１２ｂ    フォトディテクタ用導線の一端部
１２ｃ    フォトディテクタ用導線の他端部
１２Ａ    外側線
１２Ｂ    内側線
１４      接着剤
２１      長孔
Ｄ        ディスク
ＰＤ１    フォトディテクタ
ＬＤ      レーザダイオード
Ｋ        境界線
【図１】
2008257822.tif 000003
【図２】
2008257822.tif 000004
【図３】
2008257822.tif 000005
【図４】
2008257822.tif 000006
【図５】
2008257822.tif 000007
【図６】
2008257822.tif 000008
【図７】
2008257822.tif 000009
【図８】
2008257822.tif 000010
【図９】
2008257822.tif 000011